(57)【要約】【課題】近年、省エネとか排ガスなどが大変問題になっている。そこで、排ガスも出ず、エネルギー消費もまったくない原動機の製作を課題とした。【解決手段】永久磁石８と、永久磁石５の間に、ローター２に分割リング４、リング６、分割リング７、リング３を組み込み、永久磁石８により分割リング４、分割リング７を励磁して、永久磁石５との間に発生する、反発力・引張力により回転力を得る原動機。【選択図】　　図１
2004036448.tif 000002
【特許請求の範囲】
【請求項１】
軸１０を回転させるため、軸１０に取り付けたローター２に、リング３（非磁性体）、分割リング４（可磁性体）、リング６（非磁性体）、分割リング７（可磁性体）を組み付け、一体として永久磁石５と永久磁石８の間にセットして回転力を得る原動機。
【請求項２】
永久磁石８と、分割リング４、分割リング７の間の隙間は、最小限接触しない程度とする。また、永久磁石５と分割リング４、分割リング７の間の隙間は少し多くすることで、永久磁石８により、分割リング４と分割リング７に励磁させて永久磁石５との間に発生する反発力、引張力により回転力を得る原動機。
【請求項３】
永久磁石５、永久磁石８、分割リング４、分割リング７は、各偶数個配列し、各Ｎ、Ｓ極は、分割リング４、分割リング７が回転することにより、極変換を自動的に行い、それにより回転力を発生し、回転する原動機。
【発明の詳細な説明】
【０００１】
【発明の属する技術分野】
本考案は、永久磁石と、可磁性体の組み合わせのみで回転力を発生せしめる様考案した原動機である
【０００２】
【従来の技術】
従来の原動機は、全て外部よりエネルギーの供給がないかぎり、動力の発生はありません。
【０００３】
【発明が解決しようとする課題】
現在稼動している原動機は、全て外部よりエネルギーの供給が必要であるので、エネルギーの供給がなくても回転力が得られることを目的とした。
【０００４】
【課題を解決するための手段】
軸１０を回転させるため、軸１０に取り付けたローター２に、リング３（非磁性体）、分割リング４（可磁性体）、リング６（非磁性体）、分割リング７（可磁性体）を組み付け、一体として永久磁石８により、分割リング４、分割リング７を励磁させて永久磁石５との間に引張力、反発力を発生させて回転力を得る。
【０００５】
【発明の実施の形態】
（イ）　図（１）のごとく永久磁石５と永久磁石８を固定してその間に取り付けローター２にリング３と、リング６をはさんで分割リング４、分割リング７を組み付ける。
（ロ）図（２）（この図は作動原理図です。）により説明すると、永久磁石５（Ｓ１，Ｎ１）（Ｓ２，Ｎ２）（Ｓ３，Ｎ３）（Ｓ４，Ｎ４）と、永久磁石８（Ｓ（１），Ｎ（１））（Ｓ（２），Ｎ（２））（Ｓ（３），Ｎ（３））（Ｓ（４），Ｎ（４））は、各一対のＳ極、Ｎ極をもつ永久磁石である。これを図（２）のごとく外側、内側に固定する。その間にローター２にリング３、リング６と共に分割リング４（ａ，ｂ，ｃ，ｄ，）と分割リング７（ｅ，ｆ，ｇ，ｈ）の角度を（本例では４５度）ずらして組み付ける。
このとき、分割リング４（ａ，ｂ，ｃ，ｄ，）と分割リング７（ｅ，ｆ，ｇ，ｈ）は、永久磁石８（Ｓ（１），Ｎ（１））（Ｓ（２），Ｎ（２））（Ｓ（３），Ｎ（３））（Ｓ（４），Ｎ（４））との隙間は接触しない程度とする。こうして、分割リング４（ａ，ｂ，ｃ，ｄ，）は励磁される。
それにより、永久磁石５のＳ１と分割リング４　ａのｓ（１）’、永久磁石５のＮ２と分割リング４ｂのｎ（２）’、永久磁石５のＳ３と分割リング４ｃのｓ（３）’、永久磁石５のＮ４と分割リング４ｄのｎ（４）’の間の隙間は少し広めにとることにより、反発力が発生する。
同時に、永久磁石５のＳ１と分割リング４ｄのｎ（４）’、永久磁石５のＮ２と分割リング４ａのｓ（１）’、永久磁石５のＳ３と分割リング４ｂのｎ（２）’、永久磁石５のＮ４と分割リング４ｃのｓ（３）’の間の隙間は少し広めにとっているので、それにより引張力が発生する。
この反発力と引張力が回転力となる。
このとき、分割リング７（ｅ，ｆ，ｇ，ｈ）は分割リング４（ａ，ｂ，ｃ，ｄ，）に対して角度をずらして組み込みするので、この位置では励磁しないので回転力は発生しないが、永久磁石５のＮ１，Ｓ２，Ｎ３，Ｓ４により、分割リング７のｅ，ｆ，ｇ，ｈには負の力が働くが、これは大きな力ではないので問題にはならない。
（ハ）　図（３）は図（２）より１５°回転した図である。分割リング４（ａ，ｂ，ｃ，ｄ，）の動作は図（２）と同じである。分割リング７（ｅ，ｆ，ｇ，ｈ）はこの位置では永久磁石８　（Ｎ（１）　，Ｓ（２），　Ｎ（３），　Ｓ（４））により励磁され、永久磁石５のＮ１と分割リング７ｈのｎ（１）’、永久磁石５のＳ２と分割リング７ｅのｓ（２）’、永久磁石５のＮ３と分割リング７ｆのｎ（３）’、永久磁石５のＳ４と分割リング７ｇのｓ（４）’それぞれの間に反発力が発生する事により回転する。
（ニ）　図（４）は図（２）より３０°回転した図である。分割リング４（ａ，ｂ，ｃ，ｄ，）、分割リング７（ｅ，ｆ，ｇ，ｈ）はこの位置では、永久磁石８　（　Ｓ（１），　Ｓ（２），　Ｓ（３），　Ｓ（４），　Ｎ（１），Ｎ（２），Ｎ（３），　Ｎ（４））により励磁され、永久磁石５のＳ１と分割リング４ｄのｎ（４）’、永久磁石５のＮ２と分割リング４ａのｓ（１）’、永久磁石５のＳ３と分割リング４ｂのｎ（２）’、永久磁石５のＮ４と分割リング４ｃのｓ（３）’それぞれの間に引張力が発生する。
又、分割リング７（ｅ，ｆ，ｇ，ｈ）は、永久磁石８　（Ｎ（１），　Ｓ（２），　Ｎ（３），Ｓ（４））により励磁され、永久磁石５のＮ１と分割リング４ｈのｎ（１）’、永久磁石５のＳ２と分割リング４ｅのｓ（２）’、永久磁石５のＮ３と分割リング４ｆのｎ（３）’、永久磁石５のＳ４と分割リング４ｇのｓ（４）’それぞれの間に反発力が発生する。同時に永久磁石５のＳ２と分割リング４ｈのｎ（１）’、永久磁石５のＮ３と分割リング４ｅのｓ（２）’、永久磁石５のＳ４と分割リング４ｆのｎ（３）’　永久磁石５のＮ１と分割リング４ｇのｓ（４）’それぞれの間に引張力が発生する事により、回転運動をする。
（ホ）図（５）、図（６）、図（７）この部の動作は、図（２）、図３、図（４）に準ずる。
（ヘ）図（８）ウ部詳細図に示すように、永久磁石８に接近する分割リング４，　分割リング７、の内側は、回転することによる磁束のカット時に受けるマイナス負荷を軽減させるため、斜めに切り欠きをもうけた。
【０００６】
【実施例】
図（１）の如く組み立てたその結果、軸１０は、ローター２、リング３、分割リング７、リング６、分割リング４と共に回転をした。
【０００７】
【発明の効果】
本考案の原動機は、動かす為の燃料、電気等の外部エネルギーの供給を必要としない。よって公害もでないし、エネルギー消費もなく回転動力を得られる。
【図面の簡単な説明】
【図１】本考案の断面図である。
【図２】本考案の作動原理図である。（０°位置）
【図３】本考案の作動原理図である。（１５°位置）
【図４】本考案の作動原理図である。（３０°位置）。
【図５】本考案の作動原理図である。（４５°位置）
【図６】本考案の作動原理図である。（６０°位置）
【図７】本考案の作動原理図である。（７５°位置）
【図８】ウ部詳細図（内側から見る）
【符号の説明】
１．プレート
２．ローター
３．リング
４．分割リング
５．永久磁石
６．リング
７．分割リング
８．永久磁石
９．蓋
１０．軸
１１．止め輪
１２．ベアリング
１３．スペーサー
１４．支柱
【図１】
2004036448.tif 000003
【図２】
2004036448.tif 000004
【図３】
2004036448.tif 000005
【図４】
2004036448.tif 000006
【図５】
2004036448.tif 000007
【図６】
2004036448.tif 000008
【図７】
2004036448.tif 000009
【図８】
2004036448.tif 000010